(57)【要約】【課題】  枠形のフロントパネルに嵌る液晶パネルのサイズが変化しても同じ止着具にて固定できるホルダーの提供。【解決手段】  ホルダー１は表示パネル側端とフロントパネル１３に設けたボス１４との隙間に嵌入する脚２と、脚２の頭部には液晶パネル９の背面コーナーに係合する押え部４を有し、押え部４の反対側にはネジ止め部３を設け、さらに脚２の表面には液晶パネル側端に設けた穴１９に係合するタブ５を突出して設けている。【選択図】    図１
2008107751.tif 000002
【特許請求の範囲】
【請求項１】
枠形のフロントパネルに嵌めた表示パネルを固定する為のホルダーにおいて、該ホルダーは表示パネル側端とフロントパネルに設けたボスとの隙間に嵌入する脚と、脚の頭部には表示パネルの背面コーナーに係合する押え部を有し、押え部の反対側にはネジ止め部を設けたことを特徴とする表示パネルのホルダー。
【請求項２】
上記脚の表面には表示パネル側端に設けた穴又は溝に係合するタブを突出した請求項１記載の表示パネルのホルダー。
【請求項３】
脚先端には液晶パネルの表面に係止する係止部を設けた請求項１、又は請求項２記載の表示パネルのホルダー。
【請求項４】
枠形のフロントパネルに表示パネルを嵌め、その外側端をホルダーを介して固定した表示装置において、フロントパネルの外側には複数のネジ穴と凸部を突出したボスを背面側へ起立し、表示パネル側端と上記ボスとの隙間にホルダーの脚を嵌入し、脚の頭部に形成した押え部は表示パネルの背面コーナーに係合し、該押え部の反対側に設けたネジ止め部を上記ボス先端に載置すると共にボス先端から突出する凸部をネジ止め部に設けた穴に嵌合し、又、脚の表面に突出したタブを表示パネル側端に設けた穴又は溝に係合し、そして、バックパネルを表示パネルの背面側に被覆し、ボスのネジ穴にネジを螺合してネジ止めすることで上記ホルダーのネジ止め部をボス先端とバックパネルとの間に挟みこんで固定したことを特徴とする表示装置。
【請求項５】
上記脚の先端に係止部を設け、該係止部を表示パネル表面に係止すると共に押え部とで表示パネルを挟み込んだ請求項４記載の表示装置。
【発明の詳細な説明】
【技術分野】
【０００１】
本発明は汎用性のあるホルダーを介してフロントパネルに表示パネルを簡単に取付けることが出来る表示装置に関するものである。
【背景技術】
【０００２】
薄型テレビなどの表示装置は、画像を形成する表示パネルと、この表示パネル裏側には回路基板を取付けた基板取付けホルダーが取着されている。そして、表示パネルはフロントパネルにネジ止めされ、背面側にはバックパネルが取付けられる。フロントパネルとバックパネルは互いに分離が可能なように互いにネジ止めされた連結構造と成っている。
【０００３】
図１１は従来の液晶テレビの背面図であり、液晶パネル（イ）は枠体を構成しているフロントパネル（ロ）に嵌り、周囲がネジ止めされている。この場合、液晶パネル（イ）の両側には断面Ｌ形のアングル（ハ）、（ニ）がネジ止めされ、このアングル（ハ）、（ニ）を介して上記フロントパネル（ロ）にネジ（チ）、（チ）・・にてネジ止めした構造となっている。そして、液晶パネル（イ）の上下側はネジ（リ）、（リ）・・にてフロントパネル（ロ）にネジ止めされている。
【０００４】
図１２は液晶パネル（イ）の両側にアングル（ハ）とアングル（ニ）が取付けられた場合を示している。上記アングル（ハ）、（ニ）を側方からネジ止めして取着した液晶パネル（イ）はフロントパネル（ロ）に上記図１１のように取付けられる。アングル（ハ）、（ニ）には凹部（ホ）、（ホ）・・が絞り加工されていて、アングル面からネジの頭が突出しないように、これら凹部（ホ）、（ホ）・・に嵌ってフロントパネル（ロ）にネジ止めされる。
【０００５】
図１３は液晶パネル（イ）の背面にバックパネル（ト）を取付けた場合であり、バックパネル（ト）は上記アングル（ハ）、（ニ）に設けた穴（ヘ）、（ヘ）・・を貫通してフロントパネル（ロ）に設けたネジ穴に螺合して締め付けられる。このように、アングル（ハ）、（ニ）は液晶パネル（イ）の両側にネジ止めされるが、該液晶パネル（イ）のサイズが変化する場合、フロントパネル（ロ）の大きさも変わり、同じくアングル（ハ）、（ニ）の大きさや形状も変化する。その為に、液晶テレビの型式ごとに専用のアングル（ハ）、（ニ）を製作しなくてはならず、製造コストを引き上げる要因となっている。
【０００６】
特開２００５−３００８５４号に係る「液晶表示装置」は、出願人が以前に行った特許出願であり、取付け仕様が異なる複数の液晶表示パネルを共通の取付けカバーで固定できる構造としている。そこで、取付カバーにそれぞれ異なる第１，第２，第３の液晶表示パネルを取り付け可能となるように、ねじ孔などの取付部を設け、共通の取付カバーに取付仕様が異なる第１、第２、又は第３の液晶表示パネルを固定でき、異なる液晶表示パネルの何れにおいても取付カバーに固定できる。
【０００７】
特開２００５−２０８３８４号に係る「液晶表示装置」も出願人が以前に行った特許出願であり、外形サイズ縮小によるメリットを損なうことなく、取付仕様が異なる複数の液晶表示パネルを共通の取付カバーで固定できる構造としている。しかし、上記取付けカバーは液晶パネルの背面全体を被覆する大きさとなっていて、重量が大きくなり、又コスト削減の効果が少ない。
【特許文献１】特開２００５−３００８５４号に係る「液晶表示装置」
【特許文献２】特開２００５−２０８３８４号に係る「液晶表示装置」
【発明の開示】
【発明が解決しようとする課題】
【０００８】
このように、従来の表示パネルの取付け構造には上記のごとき問題がある。本発明が解決しようとする課題はこの問題点であり、表示装置の型式が変わっても、表示パネルのサイズが変化した場合であっても適用できるホルダーを提供する。そして、同一のホルダーにて表示パネルを固定した表示装置を提供する。
【課題を解決するための手段】
【０００９】
本発明のホルダーは板状の脚と、その頭部には押え部とネジ止め部を有し、又脚の表面にはタブを突出した形状としている。一般には樹脂の成形品として製作されるが、金属板を打抜き・曲げ成形することも出来る。ところで、表示パネルは枠形を成すフロントパネルに嵌り、フロントパネルの両側部に形成したボスにホルダーを介して固定されるが、該ボスと表示パネルの側端間に形成される隙間にホルダーの脚が嵌入し、押え部は表示パネルの背面コーナーに係合し、ネジ止め部はフロントパネルのボス先端に当接する。この場合、ボスには凸部を突出して設けており、ネジ止め部の穴に嵌る。
【００１０】
そして、脚の表面から突出したタブは表示パネル側端に形成した穴又は溝に嵌入する。ネジ止め部には複数の穴が貫通して設けられ、このネジ止め部をフロントパネルのボスから突出した凸部を穴に嵌合することで該ホルダーは仮止めされる。そして、バックパネルは表示パネルの背面側に取付けられ、ネジ止め部を挟み込んだ状態で上記ボスのネジ穴にネジを螺合してネジ止めすることが出来る。ホルダーは表示パネルの側部を押えてボスに固定することが出来る訳で、表示パネルのサイズに応じてホルダーの個数が適宜決められる。
【発明の効果】
【００１１】
本発明の表示装置は、ホルダーを介して表示パネルの側端部をフロントパネルに固定している。ホルダーは脚の頭部にネジ止め部と押え部を有した止着具であって、表示パネルのサイズや表示装置の型式が変化した場合であっても、同じホルダーを用いることが出来る。
【００１２】
すなわち、大きな表示パネルであれば該ホルダーの個数を増やすことで取付けられ、又ホルダー自体は表示パネルにネジ止めすることなく、脚表面から突出したタブが表示パネル側端に形成した穴や溝に係合し、ボス先端から突出した凸部がネジ止め部の穴に嵌って外れることはない。一方、本発明のホルダーは小さくて軽く、従来のような表示パネルの背面全体を被覆するような取付けカバーを備えた表示装置に比較して軽量化される。勿論、ホルダー自体の製作も簡単で安くなる。
【実施例】
【００１３】
図１は本発明に係るホルダー１を表している実施例である。同図の２は脚、３はネジ止め部、４は押え部、５はタブを示している。同図に示すホルダー１は樹脂を材質とした成形品であり、押え部４とネジ止め部３は脚２を挟んで反対方向へ延びている。ネジ止め部３は脚２の上端位置から多少距離をおいた位置にて水平に延び、脚２とネジ止め部３の上面との間には２枚のリブ６，６を設けて強度の補強を図っている。そしてネジ止め部３の両側には円形穴７，７が設けられ、両リブ６，６の間には長穴８が形成されている。
【００１４】
図２は液晶パネル９の背面側を表していて、フロントパネルに嵌る前の状態である。液晶パネル９の背面側にはその上部に上部固定金具１０が取付けられ、その下部には下部固定金具１１が取付けられている。そして、上部固定金具１０と下部固定金具１１に跨って回路基板が取付けられる基板取付けホルダー(図示なし)が取着される。又、液晶パネル９の側端にはホルダー１に形成したタブ５が嵌る穴１９，１９・・を設けている。
【００１５】
さらに、上部固定金具１０と下部固定金具１１に跨ってメインアングル１２，１２が取付けられている。このメインアングル１２，１２はバックパネルの中央部を支える為の役目を成すことが出来るように、後方へ突出した形状となっている。図３は上記図２の液晶パネル９をフロントパネル１３に嵌めた場合を示している。フロントパネル１３は長方形の枠体を成し、その両側には複数のボス１４，１４・・が起立して設けられている。
【００１６】
そして、この液晶パネル９がフロントパネル１３に固定した状態を図４に示している。本発明では、従来のような専用アングルを使用することなく、汎用性のあるホルダー１が用いられている。該ホルダー１は前記図１に示したものであり、液晶パネル９の両側に配置され、片側２個のボルダー１，１が仮止めされる。ところで、液晶パネル９はその上下側に取着した上固定金具１０と下固定金具１１を介してフロントパネル１３にネジ２１，２１・・にて固定されている。
【００１７】
ホルダー１の脚２はフロントパネル１３に設けたボス１４と液晶パネル９の側端の隙間に嵌り、押え部４は液晶パネル背面コーナーに当接し、ネジ止め部３はボス１４の先端に当って配置されている。ボス１４の中央に突出する凸部２２はネジ止め部３に設けた長穴８に嵌り、押え部４は液晶パネル９の背面コーナーに係止してホルダー１は仮止めされる。
【００１８】
図５は図４のＡ部拡大図である。同図に示しているように、押え部４は液晶パネル９の背面コーナーに係止すると共に、ネジ止め部３はボス１４の先端に当接した状態で仮止めされ、この状態で該ホルダー１がネジ止めされることはない。そして、脚２は液晶パネル９とボス１４の隙間に嵌入している。ネジ止め部３の中央に設けた長穴８に凸部２２が嵌ることでホルダー１は位置決めされ、ネジ止め部３の穴７，７にはネジ穴２３，２３を形成した凸部１８，１８が嵌入する。
【００１９】
図６はバックパネル１６を取付けた場合の背面図である。バックパネル１６はネジ止めされるが、バックパネル１６側から挿通したネジは、ホルダー１のネジ止め部３の穴７を貫通してボス１４にネジ止めされる。このように、バックパネル１６をフロントパネル１３に連結すると共に、ホルダー１のネジ止め部３を固定する。すなわち、前記図５のように仮止め状態のホルダー１はバックパネル１６をネジ止めすることで、ネジ止め部３はバックパネル１６とボス１４の間に挟まれて固定される。
【００２０】
図７は図６のＡ−Ａ断面拡大図であり、ボス１４の先端には凸部１８が突出し、この凸部１８はホルダー１のネジ止め部３に設けた穴７に嵌合している。この状態で、バックパネル１６側から挿通したネジ１７が凸部１８の位置に設けたネジ穴２３に螺合して締付けられている。
【００２１】
同図に示すように、ホルダー１の脚２は液晶パネル９とボス１４の隙間に嵌入すると共に該液晶パネル側端に当接し、押え部４は液晶パネル９の背面コーナーに係止している。すなわち、ホルダー１にて液晶パネル９は位置決めされた状態で固定される。
【００２２】
ここで、液晶パネル９をフロントパネル１３に嵌めた状態でホルダー１が取付けられ、ネジ止め部３の長穴８にはボス１４の先端に突出した凸部１８が嵌合し、タブ５が穴１９に嵌っている。従って、ホルダー１が簡単に外れ落ちることはない。しかも、液晶パネル９はネジ２１，２１・・にてフロントパネル１３に固定されている。従って、組み立て作業中に液晶パネル９がフロントパネル１３と共に起立しても、仮止め状態のホルダー１は落下しない。
【００２３】
図８は液晶テレビの背面図であり、バックパネル１６を取外した状態である。この液晶テレビは液晶パネル９のサイズが大きく、片側に３箇所のホルダー１，１・・を取付けている。このように、本発明のホルダー１は特定型式の液晶テレビ専用の止着具ではなく、汎用性を有し、あらゆる型式、あらゆるサイズの液晶テレビであっても適用可能である。
【００２４】
図９はホルダー１を介して液晶パネル９をフロントパネル１３に固定している場合の断面図であり、図６のＡ−Ａ断面の別形態を示している。このホルダー１は押え部４が液晶パネル９の背面コーナーに係合しているのみならず、脚先端にも係止部２０を設けている。従って、押え部４と係止部２０とで液晶パネル９を挟み込んだ状態でネジ止め部３がボス１４にネジ止め・固定されている。
【００２５】
図１０は本発明のホルダー１を表す別形態であり、このホルダー１は金属製と成っている。すなわち、金属板を打抜き曲げ成形して製作されている。しかし、その基本形状は図１のホルダー１と同じであり、ボス１４と液晶パネル側端の間に嵌入する脚２、液晶パネル９の背面コーナーに係合する押え部４、そしてボス先端とバックパネル１６に挟まれて固定されるネジ止め部３を有している。そしてネジ止め部３には３個の穴が貫通して設けられている。
【図面の簡単な説明】
【００２６】
【図１】本発明に係るホルダーを示す実施例。
【図２】液晶パネルの背面図。
【図３】フロントパネルに液晶パネルが嵌った状態の背面図。
【図４】フロイントパネルに嵌った液晶パネルの側端とフロントパネルに設けたボスとの間にホルダーを仮止めした状態。
【図５】図４のＡ部拡大図。
【図６】バックパネルを取付けた液晶テレビの背面図。
【図７】図６のＡ−Ａ断面拡大図。
【図８】バックパネルを外した液晶テレビの背面図。
【図９】図６のＡ−Ａ断面拡大図を示す別構造。
【図１０】別なホルダーを実施例。
【図１１】バックパネルを外した従来の液晶テレビの背面図。
【図１２】アングルを取付けた従来の液晶パネル。
【図１３】従来の液晶テレビの背面図。
【符号の説明】
【００２７】
１  ホルダー
２  脚
３  ネジ止め部
４  押え部
５  タブ
６  リブ
７  穴
８  長穴
９  液晶パネル
10  上部固定金具
11  下部固定金具
12  メインアングル
13  フロントパネル
14  ボス
16  バックパネル
17  ネジ
18  凸部
19  穴
20  係止部
21  ネジ
22  凸部
23  ネジ穴
【図１】
2008107751.tif 000003
【図２】
2008107751.tif 000004
【図３】
2008107751.tif 000005
【図４】
2008107751.tif 000006
【図５】
2008107751.tif 000007
【図６】
2008107751.tif 000008
【図７】
2008107751.tif 000009
【図８】
2008107751.tif 000010
【図９】
2008107751.tif 000011
【図１０】
2008107751.tif 000012
【図１１】
2008107751.tif 000013
【図１２】
2008107751.tif 000014
【図１３】
2008107751.tif 000015